(57)【要約】【課題】効率的なチャネル割り当てが可能な端局装置、多重化データ通信方法および多重化データ通信システムを得る。【解決手段】割り当て制御部は、チャネル割り当て配置の変更が必要であると判断すると、変更先チャネルの割り当て位置に、他の端局装置に送信する多重化データの割り当て配置を追加し、変更元チャネルと変更先チャネルの割り当て位置を他の端局装置に通知し、他の端局装置から、自装置から受信する多重化データの割り当て配置の変更先チャネルへの変更完了通知を受信すると、変更元チャネルの割り当て位置で他の端局装置へ送信する多重化データの割り当て配置を解除し、他の端局装置から受信する多重化データの割り当て配置を変更元チャネルから変更先チャネルへと変更して他の端局装置へ通知する。【選択図】図２
2014212396.tif 000002
【特許請求の範囲】
【請求項１】
マルチフレームを構成し、同一タイムスロット内のビットをマルチフレーム内の必要フレーム回伝送する多重化方式で多重化データを伝送する端局装置において、
多重化データの割り当て配置情報を記憶する割り当て配置記憶部と、
既存のチャネルの割り当て位置を変更する必要がある場合に、前記割り当て配置情報に基づき変更元チャネルと変更先チャネルの割り当て位置を算出する割り当て位置算出部と、
前記割り当て位置算出部に前記変更元チャネルと前記変更先チャネルの割り当て位置の算出を指示し、チャネルの割り当て位置を変更する処理を制御する割り当て制御部とを備え、
前記割り当て制御部は、
インタフェース回路により接続される保守装置から多重化データのチャネル割り当て情報を受信し、チャネル割り当て位置の変更が必要であると判断すると、
前記割り当て位置算出部に前記変更元チャネルと前記変更先チャネルの割り当て位置を算出させ、
前記割り当て位置算出部が算出した前記変更先チャネルの割り当て位置に、前記インタフェース回路により接続される他の端局装置に送信する多重化データの割り当て配置を追加し、
前記変更元チャネルと前記変更先チャネルの割り当て位置を、前記他の端局装置に通知し、
前記他の端局装置から、前記他の端局装置が自装置から受信する多重化データの割り当て配置の前記変更先チャネルへの変更完了通知を受信すると、前記変更元チャネルの割り当て位置で前記他の端局装置へ送信する多重化データの割り当て配置を解除し、
前記他の端局装置から受信する多重化データの割り当て配置を前記変更元チャネルから前記変更先チャネルへと変更して前記他の端局装置へ通知する
ことを特徴とする端局装置。
【請求項２】
端局装置が、マルチフレームを構成し、同一タイムスロット内のビットをマルチフレーム内の必要フレーム回伝送する多重化方式で多重化データを伝送し、
多重化データの割り当て配置情報を記憶する割り当て配置記憶部と、
既存のチャネルの割り当て位置を変更する必要がある場合に、前記割り当て配置情報に基づき変更元チャネルと変更先チャネルの割り当て位置を算出する割り当て位置算出部と、
前記割り当て位置算出部に変更元チャネルと変更先チャネルの割り当て位置の算出を指示し、チャネルの割り当て位置を変更する処理を制御する割り当て制御部とを備える端局装置における多重化データ通信方法であって、
前記割り当て制御部が、インタフェース回路により接続される保守装置から多重化データのチャネル割り当て情報を受信し、チャネル割り当て位置の変更が必要であるかどうかを判定するステップと、
前記割り当て制御部が、前記割り当て位置算出部に前記変更元チャネルと前記変更先チャネルの割り当て位置を算出させるステップと、
前記割り当て制御部が、前記割り当て位置算出部が算出した前記変更先チャネルの割り当て位置に、前記インタフェース回路により接続される他の端局装置に送信する多重化データの割り当て配置を追加するステップと、
前記割り当て制御部が、前記変更元チャネルと変更先チャネルの割り当て位置を、前記他の端局装置に通知するステップと、
前記割り当て制御部が、前記他の端局装置から、前記他の端局装置が自装置から受信する多重化データの割り当て配置の前記変更先チャネルへの変更完了通知を受信すると、前記変更元チャネルの割り当て位置で前記他の端局装置へ送信する多重化データの割り当て配置を解除するステップと、
前記割り当て制御部が、前記他の端局装置から受信する多重化データの割り当て配置を前記変更元チャネルから前記変更先チャネルへと変更して前記他の端局装置へ通知するステップとを備える
ことを特徴とする多重化データ通信方法。
【請求項３】
マルチフレームを構成し、同一タイムスロット内のビットをマルチフレーム内の必要フレーム回伝送する多重化方式で同一の多重化データを伝送する少なくとも２つ以上のお互いに接続される端局装置と、それぞれの前記端局装置に接続される端末装置と、前記端局装置のひとつが接続され、前記端局装置に多重化データのチャネル割り当て情報を配布する保守装置とがインタフェース回路により相互にデータを多重化して伝送する多重化データ通信システムにおいて、
第１の端局装置は、
前記保守装置から前記多重化データのチャネル割り当て情報を受信し、チャネル割り当て位置の変更が必要であると判断すると、
変更元チャネルと変更先チャネルの割り当て位置を算出し、前記変更先チャネルの割り当て位置で第２の端局装置へ送信する多重化データの割り当て配置を追加し、
前記変更元チャネルと前記変更先チャネルの割り当て位置を前記第２の端局装置に送信し、
第２の端局装置は、
前記第１の端局装置から、前記割り当て位置を受信すると、
前記第１の端局装置から受信した前記割り当て位置に従って、前記第１の端局装置から受信する多重化データの割り当て配置を、前記変更元チャネルから前記変更先チャネルへ変更し、前記第１の端局装置へ送信する多重化データの割り当て配置に前記変更先チャネルを追加して、前記第１の端局装置から受信する多重化データの割り当てチャネルの変更が完了したことを前記第１の端局装置に通知し、
前記第１の端局装置は、
前記第２の端局装置から、前記第２の端局装置が前記第１の端局装置から受信する多重化データの割り当てチャネルの変更が完了した通知を受信すると、
前記変更元チャネルの割り当て位置で前記第２の端局装置へ送信する多重化データの割り当て配置を解除し、
前記第２の端局装置から受信する多重化データの割り当て配置を前記変更元チャネルから前記変更先チャネルへ変更し、
前記第２の端局装置から受信する多重化データの割り当てチャネルの変更が完了したことを前記第２の端局装置に通知し、
前記第２の端局装置は、
前記第１の端局装置から、前記第１の端局装置が前記第２の端局装置から受信する多重化データの割り当てチャネルの変更が完了した通知を受信すると、
前記変更元チャネルの割り当て位置で、前記第１の端局装置へ送信する多重化データの割り当て配置を解除する
ことを特徴とする多重化データ通信システム。
【請求項４】
マルチフレームを構成し、同一タイムスロット内のビットをマルチフレーム内の必要フレーム回伝送する多重化方式で多重化データを伝送する端局装置において、
多重化データの割り当て配置情報を記憶する割り当て配置記憶部と、
既存のチャネルの割り当て位置を変更する必要がある場合に、前記割り当て配置情報に基づき変更元チャネルと変更先チャネルの割り当て位置を算出する割り当て位置算出部と、
前記割り当て位置算出部に前記変更元チャネルと前記変更先チャネルの割り当て位置の算出を指示し、チャネルの割り当て位置を変更する処理を制御する割り当て制御部と、
マルチフレームタイミングをカウントし変更契機を識別するＭＦタイミングカウント部とを備え、
前記割り当て制御部は、
インタフェース回路により接続される保守装置から多重化データのチャネル割り当て情報を受信し、チャネル割り当て位置の変更が必要であると判断すると、
前記割り当て位置算出部に前記変更元チャネルと前記変更先チャネルの割り当て位置を算出させ、
前記割り当て位置算出部が算出した前記変更元チャネルと前記変更先チャネルとを前記インタフェース回路により接続された他の端局装置に通知し、
前記ＭＦタイミングカウント部でカウントされた変更時期のタイミング通知を受信すると、
他の端局装置へ送信する多重化データのチャネル割り当てについて、前記変更元チャネルを前記変更先チャネルに変更し、
前記他の端局装置から受信する多重化データのチャネル割り当てについて、前記変更元チャネルを前記変更先チャネルに変更する
ことを特徴とする端局装置。
【請求項５】
マルチフレームを構成し、同一タイムスロット内のビットをマルチフレーム内の必要フレーム回伝送する多重化方式で多重化データを伝送し、
多重化データの割り当て配置情報を記憶する割り当て配置記憶部と、
既存のチャネルの割り当て位置を変更する必要がある場合に、前記割り当て配置情報に基づき変更元チャネルと変更先チャネルの割り当て位置を算出する割り当て位置算出部と、
前記割り当て位置算出部に変更元チャネルと変更先チャネルの割り当て位置の算出を指示し、チャネルの割り当て位置を変更する処理を制御する割り当て制御部と、
マルチフレームタイミングをカウントし変更契機を識別するＭＦタイミングカウント部とを備える端局装置における多重化データ通信方法であって、
前記割り当て制御部が、インタフェース回路により接続される保守装置から多重化データのチャネル割り当て情報を受信し、チャネル割り当て位置の変更が必要であるかどうかを判定するステップと、
前記割り当て制御部が、前記割り当て位置算出部に前記変更元チャネルと前記変更先チャネルの割り当て位置を算出させるステップと、
前記割り当て制御部が、前記割り当て位置算出部が算出した前記変更元チャネルと前記変更先チャネルとを前記インタフェース回路により接続された他の端局装置に通知するステップと、
前記割り当て制御部が、前記ＭＦタイミングカウント部でカウントされた変更時期のタイミング通知を受信するステップと、
前記割り当て制御部が、他の端局装置へ送信する多重化データのチャネル割り当てについて、前記変更元チャネルを前記変更先チャネルに変更するステップと、
前記割り当て制御部が、前記他の端局装置から受信する多重化データのチャネル割り当てについて、前記変更元チャネルを前記変更先チャネルに変更するステップとを備える
ことを特徴とする多重化データ通信方法。
【請求項６】
マルチフレームを構成し、同一タイムスロット内のビットをマルチフレーム内の必要フレーム回伝送する多重化方式で同一の多重化データを伝送する少なくとも２つ以上のお互いに接続される端局装置と、それぞれの前記端局装置に接続される端末装置と、前記端局装置のひとつが接続され、前記端局装置に多重化データのチャネル割り当て情報を配布する保守装置とがインタフェース回路により相互にデータを多重化して伝送する多重化データ通信システムにおいて、
第１の端局装置は、
前記保守装置から前記多重化データのチャネル割り当て情報を受信し、チャネル割り当て位置の変更が必要であると判断すると、変更元チャネルと変更先チャネルの割り当て位置を算出し、
前記変更元チャネルと前記変更先チャネルの割り当て位置を第２の端局装置に送信し、
第２の端局装置は、
前記第１の端局装置から、前記割り当て位置を受信し、
前記第１の端局装置は、
マルチフレームタイミングをカウントし、変更契機を識別すると、
前記第２の端局装置へ送信する多重化データのチャネル割り当てについて、前記変更元チャネルから前記変更先チャネルへと変更してから、前記第２の端局装置から受信する多重化データのチャネル割り当てについて、前記変更元チャネルから前記変更先チャネルへと変更し、
前記第２の端局装置は、
前記マルチフレームタイミングをカウントし、前記変更契機を識別すると、
前記第１の端局装置から受信する多重化データのチャネル割り当てについて、前記変更元チャネルから前記変更先チャネルへと変更してから、前記第１の端局装置へ送信する多重化データのチャネル割り当てについて、前記変更元チャネルから前記変更先チャネルへと変更する
ことを特徴とする多重化データ通信システム。
【発明の詳細な説明】
【技術分野】
【０００１】
この発明は、ディジタル時分割多重装置に関するもので、特に端末装置からの伝送速度の異なる各種のデータを、ビット多重方式により効率的に多重化するのに適した端局装置、多重化データ通信方法および多重化データ通信システムに関するものである。
【背景技術】
【０００２】
端末装置からのデータを高速ディジタル回線に多重化する方法として、マルチフレームを構成し、同一タイムスロット内のビットをマルチフレーム内の必要フレーム回伝送する方法が知られている（例えば、特許文献１参照）。
【０００３】
従来技術においては、ある回線に最初に複数チャネルの割り当てを行う場合、未割り当てとなるビットがないように、同一の伝送速度は連続した位置にまとめて配置する。例えば、64kbpsを２チャネル割り当てる場合、１チャネル目の64kbpsチャネルの直後に２チャネル目を割り当てる。１チャネル目がch1とすれば、２チャネル目は開始位置がフレームNo.1で連続して未割り当てであるＴＳ２のビットNo.2が割り当て位置となる。
このように、従来の端局装置の多重化通信方式は、同一の伝送速度をまとめることにより効率的な配置を実現できる。
【先行技術文献】
【特許文献】
【０００４】
【特許文献１】特公平５−０４９１３９号公報
【発明の概要】
【発明が解決しようとする課題】
【０００５】
しかしながら、従来の端局装置の多重化通信方式では、種々の伝送速度を割り当てている状況で未割り当てビットが少なくなると、割り当て可能な伝送速度が限定されてしまうため、チャネル追加やチャネル伝送速度増加を実施する場合などに、未割り当てチャネルの伝送速度の合計よりも小さな伝送速度のチャネルの追加の割り当てができないという課題があった。
【０００６】
この発明は、上記のような課題を解決するためになされたものであり、チャネル追加やチャネル伝送速度増加を実施する場合にも、効率的なチャネル割り当てが可能な端局装置、多重化データ通信方法および多重化データ通信システムを得ることを目的としている。
【課題を解決するための手段】
【０００７】
この発明は、マルチフレームを構成し、同一タイムスロット内のビットをマルチフレーム内の必要フレーム回伝送する多重化方式で多重化データを伝送する端局装置において、多重化データの割り当て配置情報を記憶する割り当て配置記憶部と、前記割り当て配置情報に基づき変更元チャネルと変更先チャネルの割り当て位置を算出する割り当て位置算出部と、前記割り当て位置算出部に前記変更元チャネルと前記変更先チャネルの割り当て位置の算出を指示し、チャネルの割り当て位置を変更する処理を制御する割り当て制御部とを備え、前記割り当て制御部は、インタフェース回路により接続される保守装置から多重化データのチャネル割り当て情報を受信し、チャネル割り当て位置の変更が必要であると判断すると、前記割り当て位置算出部に前記変更元チャネルと前記変更先チャネルの割り当て位置を算出させ、前記割り当て位置算出部が算出した前記変更先チャネルの割り当て位置に、前記インタフェース回路により接続される他の端局装置に送信する多重化データの割り当て配置を追加し、前記変更元チャネルと前記変更先チャネルの割り当て位置を、前記他の端局装置に通知し、前記他の端局装置から、前記他の端局装置が自装置から受信する多重化データの割り当て配置の前記変更先チャネルへの変更完了通知を受信すると、前記変更元チャネルの割り当て位置で前記他の端局装置へ送信する多重化データの割り当て配置を解除し、前記他の端局装置から受信する多重化データの割り当て配置を前記変更元チャネルから前記変更先チャネルへと変更して前記他の端局装置へ通知することを特徴とするものである。
【発明の効果】
【０００８】
この発明によれば、既存チャネルで伝送されるデータが消失することなく、割り当て不可となる未割り当てビットを減少させることができるので、効率的なチャネル割り当てが可能となるという効果がある。
【図面の簡単な説明】
【０００９】
【図１】この発明の実施の形態１による端局装置を用いたシステムの構成図である。
【図２】この発明の実施の形態１による端局装置の構成を示す構成図である。
【図３】この発明の実施の形態１によるこの発明の実施の形態１による端局装置の割り当て制御部において、既存チャネルの割り当て位置を変更する処理を示すフローチャートである。
【図４】この発明の実施の形態１による多重化データの割り当て配置を説明する図である。
【図５】この発明の実施の形態２による端局装置の構成を示す構成図である。
【図６】この発明の実施の形態２によるこの発明の実施の形態１による端局装置の割り当て制御部において、既存チャネルの割り当て位置を変更する処理を示すフローチャートである。
【発明を実施するための形態】
【００１０】
以下、この発明の実施の形態について、図面を参照しながら詳細に説明する。
実施の形態１．
図１は、実施の形態１の多重化通信方式を実施する端局装置を用いたシステムの構成図である。図１に示すように、複数の端末装置１０３がそれぞれ端局装置１０２に接続され、お互いに接続された端局装置１０２のひとつが保守装置１０１と接続される構成となっている。
端局装置１０２は、端末装置１０３からのデータを端局装置１０２が相互に接続する回線上に多重化して伝送する装置である。保守装置１０１は、端局装置１０２に直接または端局装置１０２を経由して接続され、端局装置１０２に多重化データのチャネル割り当て情報を配布する装置である。
【００１１】
図２は、この発明の実施の形態１による端局装置１０２の構成を示す構成図である。
端局装置１０２は、割り当て制御部１と、割り当て位置算出部２と、割り当て配置記憶部３と、制御信号生成部４と、制御信号解析部５と、多重化制御部６と、ＡＣＭ部７と、回線ＩＦ部８と、端末ＩＦ部９とを備える。
回線ＩＦ部８は、多重化データを回線上に伝送するインタフェース回路である。
端末ＩＦ部９は、端末装置１０３との伝送路のインタフェース回路である。
多重化制御部６は、端末ＩＦ部９や制御信号生成部４からのデータを多重化し回線ＩＦ部８へ送信するとともに、回線ＩＦ部８からの多重化データを分離し端末ＩＦ部９や制御信号解析部５へ送信する回路である。
【００１２】
ＡＣＭ部７は、割り当て制御部１より指示された割り当て配置を記憶し、記憶した割り当て配置に基づき、多重化制御部６または回線ＩＦ部８または端末ＩＦ部９からのデータの出力先を制御するアドレスコントロールメモリである。
制御信号生成部４は、割り当て制御部１からの指示内容に従い、制御信号を生成する。
制御信号解析部５は、多重化制御部６から受信した制御信号を解析し、割り当て制御部１へ通知する。
【００１３】
割り当て配置記憶部３は、多重化データの割り当て配置情報を記憶する。
割り当て位置算出部２は、割り当て配置記憶部３に保持される割り当て配置情報に基づき追加の割り当て位置を算出する。また、既存のチャネルの割り当て位置を変更する必要がある場合に、割り当て位置を変更する既存のチャネル（変更チャネル）と、その変更先チャネルの割り当て位置を算出する。
割り当て制御部１は、チャネルの割り当て位置を変更する処理と割り当て位置を制御する。
【００１４】
次に動作について説明する。
新たにチャネルを追加する場合、端局装置１０２の回線ＩＦ部８は、チャネル追加を指示するチャネル割り当て配置情報を保守装置１０１から制御信号で受信する。
端局装置１０２内ではチャネル追加を指示するチャネル割り当て配置情報の制御信号を受信すると、多重化制御部６で制御信号を分離した後、制御信号解析部５で制御信号の解析を実施し、解析した内容を割り当て制御部１に通知する。
【００１５】
割り当て制御部１では、割り当て位置算出部２にチャネルの割り当て追加を指示し、割り当て位置算出部２は、既存チャネルの変更なしに割り当て追加ができない場合、割り当て不可を割り当て制御部１へ通知する。
割り当て制御部１は割り当て不可の通知を受けると、既存チャネルの割り当て位置を変更する処理（図３参照。詳細は後述する）を実施する。
【００１６】
既存チャネルの割り当て位置を変更する処理を実施後、割り当て制御部１は、再度割り当て位置算出部２にチャネルの割り当て追加を指示し、割り当て位置算出部２より割り当て位置の通知を受けると、チャネルの割り当てを追加する指示をＡＣＭ部７へ出力する。
【００１７】
図３は、この発明の実施の形態１による端局装置１０２の割り当て制御部１において、既存チャネルの割り当て位置を変更する処理を示すフローチャートである。
図３（ａ）は対向する端局装置１０２のうち、変更手順を開始する方の端局装置１０２（以下、第１の端局装置という）の割り当て制御部１による既存チャネルの割り当て位置を変更する手順で、図３（ｂ）は他方の端局装置（第１の端局装置）からの指示により開始となる端局装置１０２（以下、第２の端局装置という）の割り当て制御部１が、既存チャネルの割り当て位置を変更する手順である。
【００１８】
まず、第１の端局装置の処理について、図３（ａ）に従って説明する。
第１の端局装置の割り当て制御部１は、割り当て位置算出部２へ変更元とする既存チャネル（変更元チャネル）および変更元チャネルの変更先のチャネル位置の算出を指示する（ステップＳＴ１１）。
なお、ここでは、割り当て位置算出部２での変更先チャネル位置の算出は自動で行なわれるものとするが、変更先チャネルを手動で設定することもできる。
変更先チャネルの自動算出方法としては、例えば、空きチャネルを先頭から検索し、最初に見つかった領域を変更先チャネルとするようにしてもよいし、削除すれば追加チャネルが割り当て可能となる候補チャネルを全て算出した後、候補チャネルの中から優先判定条件で最適なチャネルを算出してその結果を変更先チャネルとしてもよい。ここで、優先判定条件とは、次の追加割り当てが移動なしにできるようにすることが条件であり、具体的には今回チャネル追加した後の空き領域について、割り当て可能サイズが最も大きいことや、割り当て頻度が高いチャネル速度の割り当てが可能であることなどである。
割り当て制御部１は、ステップＳＴ１１において割り当て位置算出部２が算出した変更先チャネル位置を送信側に追加する指示をＡＣＭ部７へ出力する（ステップＳＴ１２）。
これにより、ＡＣＭ部７は、記憶している送信側のチャネル割り当て配置に変更先チャネル位置を追加する。
なお、各端局装置では、多重化データを他の端局装置へ送信するチャネル（送信側）と、多重化データを他の端局装置から受信するチャネル（受信側）の配置をそれぞれ記憶している。
【００１９】
割り当て制御部１は、変更元チャネル位置と変更先チャネル位置とを指示する制御信号送信指示を制御信号生成部４へ出力する（ステップＳＴ１３）。
これにより、制御信号生成部４が、変更元チャネル位置と、変更先チャネル位置を指示する制御信号生成し、多重化制御部６を経由して回線ＩＦ部８から第２の端局装置に知らせる（チャネル変更開始契機）。
割り当て制御部１は、第２の端局装置が送信した、第２の端局装置の受信側の割り当ての変更が完了した旨の通知（図３（ｂ）ステップＳＴ２４。処理内容は後述する）を、回線ＩＦ部８，多重化制御部６，制御信号解析部５を経由して受信する（ステップＳＴ１４）。
【００２０】
割り当て制御部１は、変更元チャネルを送信側割り当て配置から解除する指示をＡＣＭ部７へ出力する（ステップＳＴ１５）。
これにより、ＡＣＭ部７では、記憶している送信側のチャネル割り当て配置から、変更元チャネルを解除する。
割り当て制御部１は、受信側の割り当て変更指示をＡＣＭ部７へ出力する（ステップＳＴ１６）。
つまり、ＡＣＭ部７が記憶している受信側の割り当て配置を、変更元チャネルから変更先チャネルへと変更するよう指示する。
割り当て制御部１は、受信側の割り当て配置の変更が完了したことを通知する制御信号送信指示を制御信号生成部４へ出力する（ステップＳＴ１７）。
これにより、制御信号生成部４が、第１の端局装置において受信側の割り当て配置の変更が完了した旨の制御信号生成し、多重化制御部６を経由して回線ＩＦ部８から第２の端局装置に知らせる（チャネル変更完了契機）。
【００２１】
次に、第２の端局装置の処理について、図３（ｂ）に従って説明する。
第２の端局装置の割り当て制御部１は、図３（ａ）のステップＳＴ１３において第１の端局装置から送信された変更元チャネルの位置と変更先チャネルの位置を指示する制御信号を、回線ＩＦ部８，多重化制御部６，制御信号解析部５を経由して受信する（ステップＳＴ２１）。
割り当て制御部１は、受信側の割り当て配置の変更指示をＡＣＭ部７へ出力する（ステップＳＴ２２）。
これにより、ＡＣＭ部７は、記憶している受信側の割り当て配置のチャネルを、変更元チャネルから変更先チャネルへと変更する。
割り当て制御部１は、変更先チャネル位置を送信側に追加する指示をＡＣＭ部７へ出力する（ステップＳＴ２３）。
これにより、ＡＣＭ部７は、記憶している送信側のチャネル割り当て配置に、変更先チャネルを追加する。
割り当て制御部１は、第１の端局装置へ受信側の割り当て配置の変更完了を通知する制御信号送信指示を制御信号生成部４へ出力する（ステップＳＴ２４）。
つまり、制御信号生成部４が受信側の変更先チャネルへの割り当て配置の変更完了を通知する制御信号生成し、多重化制御部６を経由して回線ＩＦ部８から第１の端局装置に送信する。
【００２２】
割り当て制御部１は、第１の端局装置から送信された割り当て変更の制御信号、つまり受信側の割り当て配置の変更完了の制御信号（図３（ａ）のステップＳＴ１７）を、回線ＩＦ部８，多重化制御部６，制御信号解析部５を経由して入力する（ステップＳＴ２５）。
割り当て制御部１は、変更元のチャネルを送信側割り当て配置から解除する指示をＡＣＭ部７へ出力する（ステップＳＴ２６）。
これにより、ＡＣＭ部７は、記憶している送信側のチャネル割り当て配置から、変更元のチャネルを解除する。
【００２３】
図４は、この発明の実施の形態１による多重化データの割り当て配置を説明する図である。図４に基づいて、割り当て制御部１における既存チャネルの割り当て位置を変更する手順例について説明する。
図４（ａ）の割り当て配置で伝送速度16kpbsのチャネルを追加する場合、連続する領域としてＴＳｎのビットNo.4列の20ビット以外にもう一列必要となるため、変更元チャネルとしてch9、変更先チャネルとしてchAを算出する。
具体的には、割り当て制御部１は、割り当て位置算出部２へ指示し、既存チャネル（変更元チャネル）の変更先チャネル位置を算出させる（図３（ａ）のステップＳＴ１１）。
【００２４】
図４（ｂ）は、変更手順を開始する方の装置（第１の端局装置）を基準（自装置）とした図３の各ステップ完了時のch9及びchAの割り当て状況と伝送状況を説明した図である。
自装置（第１の端局装置）および他装置（第２の端局装置）に同一チャネルの割り当てがあれば、当該チャネルで伝送できることになり、矢印の両側にチャネルの記載があれば伝送できていることを示し、矢印の一方がバツ印であれば伝送できていないことを示す。
【００２５】
図３（ａ）のステップＳＴ１２完了時では送信側及び受信側ともch9での伝送で、図３（ｂ）のステップＳＴ２３完了時は、送信側はchA、受信側はch9での伝送で、図３（ａ）のステップＳＴ１６完了時は送信側及び受信側ともchAでの伝送となり、図３（ｂ）のステップＳＴ２６完了時に未割り当てとなるch9の解除が完了する。ch9が未割り当てとなれば、ＴＳｎのビットNo.4列とビットNo.5列が未割り当てとなり、連続した４０ビットが未割り当てとなるため、伝送速度16kpbsが割り当て可能なる。
【００２６】
なお、ここでは、１回の割り当て位置変更で必要な未割り当てビットの確保ができる例について説明したが、１回の割り当て位置変更で連続した未割り当てビットが確保できない場合は、図３の手順を複数回実施することにより、必要な連続した未割り当てビットの確保が可能となる。
なお、既存チャネルの割り当て位置変更を実施するタイミングは新たにチャネルを追加する時だけでなく、割り当てチャネルを削除する時など事前に実施しておきチャネル追加時の割り当て位置変更の回数を減らすことも可能である。
例えば、端局装置１０２は、チャネルを追加するときに備えて、予め使用頻度が高いチャネルについてあけておくよう指示するチャネル配置情報を保守装置１０１から制御信号で受信し、この制御信号に従って、上述したような既存チャネルの割り当て位置を変更する処理を行なうこととして、チャネル追加時の割り当て位置変更の回数を減らすようにしてもよい。
【００２７】
以上のように、実施の形態１によれば、既存チャネルの通信を継続させたまま、効率的なチャネル割り当てが可能とすることができる。
【００２８】
実施の形態２．
実施の形態１では既存チャネルの割り当て位置変更手順として、送信側または受信側の各割り当て変更をＳＴ１２、ＳＴ２２、ＳＴ１５などそれぞれ３回のステップに分けたが、対向する端局装置間（つまり、第１，第２端局装置間）でタイミングを合わせ、１回のステップで実施してもよい。以下、図を用いて説明する。
【００２９】
図５は、この発明の実施の形態２による端局装置１０２の構成を示す構成図である。
実施の形態１において図２で説明したものと同様の構成には、同一の符号を付して重複した説明を省略する。
以下に示す実施の形態２では、実施の形態１と比べて、マルチフレームタイミングをカウントし変更契機を識別するＭＦタイミングカウント部１０が追加されている。
【００３０】
図６は、この発明の実施の形態２による端局装置１０２の割り当て制御部１において、既存チャネルの割り当て位置を変更する処理を示すフローチャートである。
図６（ａ）は対向する端局装置のうち、変更手順を開始する方の装置（以下、第１の端局装置という）の割り当て制御部１による既存チャネルの割り当て位置を変更する手順で、図３（ｂ）は他方の端局装置（第１の端局装置）からの指示により開始となる端局装置（以下、第２の端局装置という）の割り当て制御部１の既存チャネルの割り当て位置を変更する手順である。
実施の形態１において図３で説明したものと同様の処理については、重複した説明を省略する。
【００３１】
まず、第１の端局装置の処理について、図６（ａ）に従って説明する。
図６（ａ）において、第１の端局装置の割り当て制御部１は、変更元チャネルと変更先チャネルと追加チャネルとを指示する制御信号の送信指示を制御信号生成部４へ出力する（ステップＳＴ３１）。
これにより、制御信号生成部４が変更元チャネル位置と、変更先チャネル位置を指示する制御信号生成し、多重化制御部６を経由して回線ＩＦ部８から第２の端局装置に知らせる（チャネル変更開始契機）。
【００３２】
割り当て制御部１は、ＭＦタイミングカウント部１０でカウントされた変更時期のタイミング通知を受信し、変更時期を算出する（ステップＳＴ３２）。
割り当て制御部１は、送信側の割り当てについて変更元チャネルを変更先チャネルに変更する指示をＡＣＭ部７へ出力する（ステップＳＴ３３）。
割り当て制御部１は、受信側の割り当てについて変更元チャネルを変更先チャネルに変更する指示をＡＣＭ部７へ出力する（ステップＳＴ３４）。
割り当て制御部１は、追加するチャネルの割り当て追加指示をＡＣＭ部７へ出力する（ステップＳＴ３５）。
【００３３】
次に、第２の端局装置の処理について、図６（ｂ）に従って説明する。
第１の端局装置から変更元チャネルと変更先チャネルと追加チャネルとを指示する制御信号が送信されると（図６（ａ）のステップＳＴ３１）、第２の端局装置の割り当て制御部１は、この制御信号を受信する（ステップＳＴ３６）。
以降、ステップＳＴ３２、ステップＳＴ３４、ステップＳＴ３３、ステップＳＴ３５の順で処理を行なう。各ステップの処理内容は、図６（ａ）と同様であるため説明を省略する。
なお、実施の形態１同様、既存チャネルの割り当て位置変更を実施するタイミングは新たにチャネルを追加する時だけでなく、割り当てチャネルを削除する時など事前に実施しておきチャネル追加時の割り当て位置変更の回数を減らすことも可能である。
【００３４】
以上のように、実施の形態２によれば、実施の形態１と同様に既存チャネルの通信を継続させたまま変更できるだけでなく、変更元チャネルと変更先チャネルを同時に割り当てる必要がないので、未割り当てビットがより少ない場合でも、効率的なチャネル割り当ての再配置が実施できる。
【００３５】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３６】
１  割り当て制御部、２  割り当て位置算出部、３  割り当て配置記憶部、４  制御信号生成部、５  制御信号解析部、６  多重化制御部、７  ＡＣＭ部、８  回線ＩＦ部、９  端末ＩＦ部、１０  ＭＦタイミングカウント部、１０１  保守装置、１０２  端局装置、１０３  端末装置。
【図１】
2014212396.tif 000003
【図２】
2014212396.tif 000004
【図３】
2014212396.tif 000005
【図４】
2014212396.tif 000006
【図５】
2014212396.tif 000007
【図６】
2014212396.tif 000008